(57)【特許請求の範囲】
【請求項１】
使用温度範囲のなかの特定範囲を示度する部分となる、ガラス温度計内の毛細管をさらに細い管とし、あわせて、この間の目盛を細かく表示することにより、より精密に測定することができることを特徴とする、特定範囲精密温度計。
【発明の詳細な説明】
【技術分野】
【０００１】  本発明は、特定範囲の温度を、より精密に測定することができる、ガラス温度計からなる特定範囲精密温度計に関する。
【背景技術】
【０００２】  温度の測定にあたっては、接触式温度測定によるものと、非接触測温によるものがあり、前者では、取扱いが簡単なガラス温度計をはじめ、バイメタル温度計、サーミスタ測温体、熱電対などがある。また、後者では、放射温度計があるなど多種多様となっている。【０００３】  このうち、ガラス温度計は、水銀やそれ以外の有機液体からなる感温液が温度による体積の変化度合いとなる膨張係数を利用するもので、感温液が硬質ガラス系の毛細管を通して示度するようになっている。【０００４】  ガラス温度計の使用温度範囲は、感温液となる水銀や有機液体の種類によって異なるが、水銀は概ね−５０度Ｃ〜３６０度Ｃ、灯油は同じく−５０度Ｃ〜２００度Ｃ、トリオールは同じく０度Ｃ〜２００度Ｃなどとなっている。【０００５】  本願に係る発明は、ガラス温度計に位置するが、この温度計は、外管の内側に目盛板と毛細管を内蔵した二重管温度計と、毛細管を有するガラス棒外側に目盛を施した棒状温度計があるが、本願に係る発明では、どちらの方式でも対応できる。【０００６】  従来の温度計にはベックマン温度計というものがある。これは、狭い範囲の温度変化をきわめて精密に測定する温度計で、主に熱量測定などに用いられる二重管温度計である。目盛範囲は、０度Ｃ〜６度Ｃ程度で、最小目盛は０．０１度Ｃが多いようである。
この温度計は、ある温度からの温度変化を測定するもので、温度計管内で、水銀を切ったり、つないだりして水銀の量を調節し、基準となる温度で０度Ｃ目盛に水銀柱を調節し、基準となる温度からの温度差を測定するものである。このため、狭い範囲を測定する精密温度計ではあるが、本願に係る出願内容とは全く異質のものである。
【非特許文献１】書籍  「新編  温度計の正しい使い方」  平成１５年３月１０日第２版、ｐ．１００  著者  （社）日本電気計測器工業会  発行所  日本工業出版株式会社
【０００７】    また、本願実施例１の湯温計には、本来入浴検知装置として考案されたものであるが、湯温計測手段を設け、あわせて適正入浴時間の調整に使用されたものがある（例えば、特許文献１を参照）。湯加減に応じた適正な入浴時間を入浴者に知らしめることができる湯温計として考案されたものであるが、湯温に対応する適正入浴時間を記憶した記憶装置の湯温設定は、大まかな設定となっている（例えば、特許文献２を参照）。風呂用の温度計として考案されたもので、検温部を備えた扁平板状の浮揚体を湯の中に入れたとき、検温部が満面下に垂下するだけのおもりを取付けてなることを特徴としているものがある（例えば、特許文献３を参照）。お風呂を湯温と時間にこだわると、たった１度、１分の違いで大きく変わる入浴を徹底検証！ポイントは湯温と時間ということで、相互関係が説明されたものである（例えば、非特許文献２を参照）。
【特許文献１】  特開２００１−１９５６７６
【特許文献２】  特開２０００−３１０５６７
【特許文献３】公開実用新案公報  昭６３−７８２２４
【非特許文献２】  関西テレビ、フジテレビ系で放映  発掘！あるある大事典第３２３回「入浴」平成１５年２月２３日２１時００分〜２１時５４分
【０００８】  特定範囲の温度を測定するガラス温度計として体温計がある。最近はデジタル式が増加しているが、従来からのガラス温度計は、感温液に水銀が用いられ、毛細管の球部に近い部分を潰して、さらに細くした留点部を設けている。これは、水銀が逆流しないように工夫されたものであり、一定期間中の最高温度を測定することができるようになっている。
しかし、これはあくまでも体温計として設計されたもので、使用方法も腋下あるいは舌下、耳の部分に当てるなど、特殊で専門的な用途のガラス温度計といえる。このことから、本願とは全く異なるものである。
【発明の開示】
【発明が解決しようとする課題】
【０００９】  一般に使用されているガラス温度計の使用範囲は、概ね−２０度Ｃ〜５０度Ｃとなっており、一般用としてはかなり広い範囲の測定が可能となっている。【００１０】  しかし、使用範囲が広いということは、限られた長さの温度計に、この間の温度を表示することになり、逆に、精密な温度の測定には向いていないことになる。また、これらの温度計の目盛の値は、１度Ｃ単位以上の等間隔となっていることから、当初から精密な温度の測定は想定していないことになる。
【課題を解決するための手段】
【００１１】  本発明は、ガラス温度計で使用温度のなかの、特定範囲の温度を、より精密に測定するもので、この特定範囲を示度する部分となる、ガラス温度計内の毛細管をさらに細い管とする。【００１２】  特定範囲を示度するにあたっては、測定しようとする特定範囲となる、範囲内の高い温度と、範囲内の低い温度を設定し、より細くなった毛細管内を感温液が反応して、高い温度の場合は範囲内の上限の位置に、低い温度の場合は範囲内の下限の位置に示度するように調節し、さらに、この間の目盛を細かく表示する。
【発明の効果】
【００１３】  本発明により、使用温度範囲のなかの特定範囲の温度を測定する場合、従来はおおまかな測定しかできなかったが、より精密に測定することが可能となる。【００１４】  さらに、使用温度範囲のなかの特定範囲については、必要に応じて自由に設定することができることから、特に必要とする温度帯の精密な測定が可能となる。この使用温度範囲は、ガラス温度計の場合、感温液によって異なるが、代表的な水銀の場合で−５０度Ｃ〜３６０度Ｃ、感温液の種類によっては最低で−２００度Ｃ、最大で６００度Ｃまで測定可能となる。【００１５】  多種多様ある温度計の中で、取扱いが簡単で、しかも比較的廉価であるガラス温度計であるが、さらに、精密に測定することができるようになることから、使用温度範囲の中で制御、記録を必要としない温度測定においては最適と考える。
【発明を実施するための最良の形態】
【００１６】  使用温度範囲の中で、目的に合わせた、特定範囲を設定することにより、工業用から家庭用まで、かなり広範囲に使用可能となる。
【実施例１】
【００１７】  本発明の実施例１は，入浴の際に威力を発揮する湯温計である。【００１８】  通常、一般に利用されている入浴温度である３８度Ｃ〜４２度Ｃを特定範囲とした特定範囲精密温度計である。【００１９】  入浴に際しては、０００７にも記述しているように、湯温と時間との相互関連が研究、発表されている。こだわれば、たった１度の湯温の違いで、また入浴時間も１分の違いで大きく変わるということである。【００２０】  時間については、比較的正確に計測できるが、湯温については、こだわれるようなものは無かった。そこで、本実施例１として、こだわりの湯温計を提供するものである。【００２１】  湯温の計測にあたっては，浴槽内の平均値に近い温度を求めるため、湯面から１０センチメートル下の湯温を計測したい。このため、湯温計を湯面に入れると、湯面に浮き、かつ、湯面に垂直に立つようにする。このとき、検温部となる球部の位置が湯面下１０センチメートルの位置になるようにおもりを調節する。【００２２】  入浴は心身ともにリラックスできるという大きな効果があるが、これも湯温と入浴時間との関係で、さらに効果的な入浴法が紹介されている（０００７の非特許文献２参照）。さらに、ダイエット入浴法（同じく０００７の非特許文献２参照）も紹介されているが、これも、適正な時間と適正な湯温が紹介されている。
そこで、入浴を、より効果的なものとするには、この湯温の精密な測定が必要となるが、本発明に係る、実施例１の湯温計を利用することで十分である。
【実施例２】
【００２３】  本発明の実施例２は、１気圧のもと、水の融点または水の凝固点である０度Ｃ、すなわち氷点前後でどのような変化をするか観察するのに適した氷点温度計である。【００２４】  例えば、水がどのように凝固し、また逆に融解のようすを観察したり、また、塩などの物質を加えることで、どう変化するかなど、学習用として提供したい。【００２５】  これは、実施例１における、特定範囲を０度Ｃ附近に設定すればよく、−３度Ｃ〜１度Ｃなどが考えられる。この場合−３度Ｃ〜１度Ｃを特定範囲とした特定範囲温度計となる。
【図面の簡単な説明】
【００２６】
【図１】実施例１の湯温計の正面図
【図２】実施例１の湯温計の側面図
【００２７】  図面は、実施例１の湯温計のみである。
図面の作成にあたって、ガラス管温度計の球部（検温部）、毛細管及びさらに細い毛細管は誇張して描いている。【００２８】  この湯温計の使用温度範囲は、１０度Ｃ（２ａ）から４２度Ｃ（２ｂ）まで、特定範囲は、３８度Ｃ（３ａ）から４２度Ｃ（３ｂ）までである。【００２９】  特定範囲の目盛は、１度Ｃごとに温度を表示。さらに、０．１度Ｃ単位の測定ができるよう目盛を表示した。
【符号の説明】
【００３０】１      ガラス管温度計
１ａ    ガラス管温度計の球部（検温部）
１ｂ    ガラス管温度計の膨張室
２ａ，２ｂ    ガラス管温度計の使用温度範囲（毛細管とさらに細い毛細管）
３ａ，３ｂ    ガラス管温度計の特定範囲（さらに細い毛細管）
４      温度計本体
４ａ    温度計本体の球部（検温部）の保護器具
５      温度目盛表示
６      おもり
７      お湯に浮かんだ時の湯面の位置
８      温度計固定用のバンド
Ａ−Ａ  ガラス温度計の球部（検温部）及びその周辺部の切断線
【要約】
【課題】  使用温度範囲のなかの特定範囲の温度を、より精密に測定することができる、ガラス温度計からなる、特定範囲精密温度計として使用を得る。
【解決手段】  特定範囲については、必要な温度域を、必要に応じて自由に設定することができ、この特定範囲を示度する部分となる、ガラス温度計内の毛細管をさらに細い管とし、あわせてこの間の目盛を細かく表示することで、より精密に測定することができる、特定範囲精密温度計を提供する。
【選択図】    図１【図１】
0003616794.tif 000002
【図２】
0003616794.tif 000003